(57)【要約】      （修正有）【課題】自動販売機での売上決済処理の信憑性を確実且つ容易に判断する。【解決手段】利用者識別情報を有する記録媒体が正当であると判別したとき、販売商品の売上情報を記憶する判別部、前記判別部の記憶形態と異なる形態で販売商品の売上情報を記憶する記憶部を有する自動販売機と、前記自動販売機を管理する管理センターと、前記判別部が記憶する売上情報を受信し、前記管理センターに対して、当該売上情報の決済処理を実行する売上情報管理センターと、を有する自動販売機の決済処理システムに用いる売上情報処理装置であって、前記判別部が記憶する売上情報を前記売上情報管理センターに送信するための売上情報締信号を前記自動販売機に送信する制御手段を備え、前記管理センターは、前記売上情報締信号に基づいて、前記売上情報管理センターが実行する前記決済処理を受け、且つ、前記記憶部が記憶する販売商品の売上情報を受信することを特徴とする。【選択図】      図１
2004280554.tif 000002
【特許請求の範囲】
【請求項１】
利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有する自動販売機と、前記自動販売機を管理する自動販売機管理センターと、前記判別部が記憶する販売商品の売上情報を受信し、前記自動販売機管理センターに対して、当該販売商品の売上情報の決済処理を実行する売上情報管理センターと、を有する自動販売機の決済処理システムに用いる売上情報処理装置であって、
前記判別部が記憶する販売商品の売上情報を前記売上情報管理センターに送信するための売上情報締信号を、前記自動販売機に送信する制御手段を、備え、
前記自動販売機管理センターは、前記売上情報締信号に基づいて、前記売上情報管理センターが実行する前記決済処理を受け、且つ、前記記憶部が記憶する販売商品の売上情報を受信することを特徴とする自動販売機の決済処理システムに用いる売上情報処理装置。
【請求項２】
前記制御手段は、前記記憶部が記憶する販売商品の売上情報を保持する保持部を有し、前記自動販売機管理センターは、前記売上情報締信号に基づいて、前記保持部が保持する販売商品の売上情報を受信することを特徴とする請求項１記載の自動販売機の決済処理システムに用いる売上情報処理装置。
【請求項３】
前記保持部は、前記売上情報締情報に基づいて、前記記億部が記憶する販売商品の売上情報を保持することを特徴とする請求項２記載の自動販売機の決済処理システムに用いる売上情報処理装置。
【請求項４】
前記制御手段は、前記自動販売機管理センターが管理する複数の自動販売機のうち、少なくとも１つの自動販売機が備えることを特徴とする請求項１記載の自動販売機の決済処理システムに用いる売上情報処理装置。
【請求項５】
利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有する自動販売機と、前記自動販売機を管理する自動販売機管理センターと、前記判別部が記憶する販売商品の売上情報を受信し、前記自動販売機管理センターに対して、当該販売商品の売上情報の決済処理を実行する売上情報管理センターと、を有する自動販売機の決済処理システムに用いる売上情報処理方法であって、
前記判別部が記憶する販売商品の売上情報を前記売上情報管理センターに送信するための売上情報締信号を、前記自動販売機に送信することによって、
前記自動販売機管理センターは、前記売上情報締信号に基づいて、前記売上情報管理センターが実行する前記決済処理を受け、且つ、前記記憶部が記憶する販売商品の売上情報を受信することを特徴とする自動販売機の決済処理システムに用いる売上情報処理方法。
【発明の詳細な説明】
【０００１】
【発明の属する技術分野】
本発明は、自動販売機の決済処理システムに用いる売上情報処理装置、売上情報処理方法に関する。
【０００２】
【従来の技術】
記録媒体に記録されている利用者識別情報を読み取って商品を販売する自動販売機は、販売商品の売上決済を行うための手段として、利用者識別情報、商品の販売時間および販売金額等を関連付けた売上情報を商品の販売の都度記憶し、当該売上情報を締め等の要求に応じて売上情報管理センターに送信する売上情報記憶モジュールを内蔵している。売上情報管理センターは、売上情報記憶モジュール内の売上情報を一旦受信すると、自動販売機を管理する自動販売機管理センターに対して、当該売上情報に相当する入金処理を実行する。これにより、売上情報管理センターと自動販売機管理センターとの間の決済処理を終了することとなる。
【０００３】
ところで、売上情報管理センターが売上情報記憶モジュールを管理している場合、自動販売機管理センターは、売上情報記憶モジュール内の売上情報を確認できずに、売上情報管理センターの決済処理の信憑性を判断できなくなる。
【０００４】
そのため、売上情報記憶モジュール内の売上情報を売上情報管理センターに送信する都度、自動販売機内の記憶部が独自に記憶する売上情報を自動販売機内のプリンタで印刷することによって、売上情報管理センターの決済処理の信憑性を判断する材料としていた。
【０００５】
【特許文献１】
特開２００２−９９９５０号公報
【０００６】
【発明が解決しようとする課題】
しかし、作業員が自動販売機のロケーションで、売上情報記憶モジュール内の売上情報の送信操作、および、記憶部内の売上情報の印刷操作を行うこととなるため、操作が煩雑となる問題があった。特に、自動販売機管理センターが管理する自動販売機の設置数が多くなる程、上記の問題は顕著となる。
そこで、本発明は、売上情報管理センターと自動販売機管理センターとの間の決済処理の信憑性を確実且つ容易に判断できる、自動販売機の売上情報処理システムを提供することを目的とする。
【０００７】
【課題を解決するための手段】
前記課題を解決するための発明は、利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有する自動販売機と、前記自動販売機を管理する自動販売機管理センターと、前記判別部が記憶する販売商品の売上情報を受信し、前記自動販売機管理センターに対して、当該販売商品の売上情報の決済処理を実行する売上情報管理センターと、を有する自動販売機の決済処理システムに用いる売上情報処理装置であって、前記判別部が記憶する販売商品の売上情報を前記売上情報管理センターに送信するための売上情報締信号を、前記自動販売機に送信する制御手段を、備え、前記自動販売機管理センターは、前記売上情報締信号に基づいて、前記売上情報管理センターが実行する前記決済処理を受け、且つ、前記記憶部が記憶する販売商品の売上情報を受信することを特徴とする。前記売上情報処理装置によれば、売上情報管理センターと自動販売機管理センターとの間の決済処理の信憑性を確実且つ容易に判断することが可能となる。
【０００８】
また、かかる自動販売機の決済処理システムに用いる売上情報処理装置において、前記制御手段は、前記記憶部が記憶する販売商品の売上情報を保持する保持部を有し、前記自動販売機管理センターは、前記売上情報締信号に基づいて、前記保持部が保持する販売商品の売上情報を受信することを特徴とする。前記売上情報処理装置によれば、保持部が自動販売機から送信される記憶部内の販売商品の売上情報を集中管理するため、売上情報管理センターと自動販売機管理センターとの間の決済処理の信憑性を、更に確実且つ容易に判断することが可能となる。特に、自動販売機管理センターが複数の自動販売機を管理する場合、保持部が効果的に作用することとなる。
【０００９】
また、かかる自動販売機の決済処理システムに用いる売上情報処理装置において、前記保持部は、前記売上情報締情報に基づいて、前記記億部が記憶する販売商品の売上情報を保持することを特徴とする。前記売上情報処理装置によれば、保持部は、自動販売機の売上情報を締めるとき、記憶部内の販売商品の売上情報を受信すればよいため、自動販売機との間の通信処理が煩雑となることを防止できる。
【００１０】
また、かかる自動販売機の決済処理システムに用いる売上情報処理装置において、前記制御手段は、前記自動販売機管理センターが管理する複数の自動販売機のうち、少なくとも１つの自動販売機が備えることを特徴とする。前記売上情報処理装置によれば、少なくとも１つの自動販売機が制御手段の機能を兼ね備えるため、売上情報管理センターと自動販売機管理センターとの間の決済処理の信憑性を判断するためのシステムを容易に構築することが可能となる。
【００１１】
更に、利用者識別情報を有する記録媒体が正当であるかどうかを判別し、前記記録媒体が正当であると判別したとき、販売商品の売上情報を記憶する判別部、前記判別部の記憶形態と異なる形態で販売商品の売上情報を記憶する記憶部、を有する自動販売機と、前記自動販売機を管理する自動販売機管理センターと、前記判別部が記憶する販売商品の売上情報を受信し、前記自動販売機管理センターに対して、当該販売商品の売上情報の決済処理を実行する売上情報管理センターと、を有する自動販売機の決済処理システムに用いる売上情報処理方法であって、前記判別部が記憶する販売商品の売上情報を前記売上情報管理センターに送信するための売上情報締信号を、前記自動販売機に送信することによって、前記自動販売機管理センターは、前記売上情報締信号に基づいて、前記売上情報管理センターが実行する前記決済処理を受け、且つ、前記記憶部が記憶する販売商品の売上情報を受信することも、実現可能である。
【００１２】
【発明の実施の形態】
本明細書および添付図面の記載により、少なくとも以下の事項が明らかとなる。
【００１３】
＝＝＝自動販売機の決済処理システム＝＝＝
図１を参照しつつ、本発明の自動販売機の決済処理システムに用いる売上情報処理装置について説明する。図１は、本発明の自動販売機の決済処理システムに用いる売上情報処理装置を説明するためのブロック図である。
【００１４】
自動販売機２、自動販売機管理センター４、売上情報管理センター６、売上情報処理部８（制御手段）は、通信回線１０を通して各種データを送受信可能である。
【００１５】
自動販売機２は、記録媒体に記録されている利用者識別情報、金銭情報等を読み取ることによって、利用者が商品選択釦等を押下することで要求される商品を販売するものである。尚、記録媒体としては、接触型または非接触型のＩＣカード、携帯端末等、各種存在するが、説明の便宜上、非接触型ＩＣカードとして説明することとする。自動販売機２は、販売商品の売上情報を記憶する手段として、売上情報記憶モジュール１２（判別部）および制御部ＲＡＭ１４（記憶部）を有する。売上情報記憶モジュール１２は、非接触型ＩＣカード内の利用者識別情報、金銭情報等をアンテナ１６を介して読み取って正当性を判別し、非接触型ＩＣカード内の利用者識別情報、金銭情報等が正当であるものと判別すると、当該金銭情報を自動販売機２内の制御部（不図示）に送信可能とするものである。更に、売上情報記憶モジュール１２は、現在時刻を計時するタイマ１８を有し、自動販売機２が商品を販売する都度、利用者識別情報、商品の販売時刻および販売金額を関連付けた売上情報を内部記憶素子（不図示）に記憶する。一方、制御部ＲＡＭ１４は、自動販売機２が商品を販売する都度、商品名、商品の販売時刻および販売金額を関連付けた売上情報、即ち、売上情報記憶モジュール１２と異なる記憶形態の売上情報を記憶するものである。
【００１６】
自動販売機管理センター４は、屋内、屋外等の各種ロケーションに設置される複数の自動販売機２の管理（売上、故障等）を行うための機能を有するものである。営業所２０は、自動販売機２と自動販売機管理センター４との間の仲介を行うものである。例えば、営業所２０の従業員（ルートマン）は、複数の自動販売機２に対して、商品装填、メンテナンス等を行う。一方、営業所２０は、自動販売機管理センター４に対して、商品発注等を行う。尚、営業所２０は、自動販売機管理センター４が管理する営業所、または、自動販売機管理センター４とは独立する営業所の何れでもよい。
【００１７】
売上情報管理センター６は、売上情報処理部８が出力する売上情報締信号に基づいて、複数の自動販売機２の売上情報管理モジュール１２が記憶している売上情報を受信する。その後、売上情報管理センター６は、自動販売機管理センター４に対して、当該売上情報の決済処理（銀行振込、電子マネー処理等）を実行する。尚、売上情報管理センター６は、自動販売機管理センター４とは独立しており、売上情報記憶モジュール１２内の売上情報を独立して管理している。そのため、自動販売機管理センター４は、売上情報記憶モジュール１２内の売上情報を確認できない状態となっている。
【００１８】
売上情報処理部８は、売上情報記憶モジュール１２内の売上情報を売上情報管理センター６に送信するための売上情報締信号を、複数の自動販売機２に送信する。複数の自動販売機２では、売上情報締信号を受信することによって、売上情報記憶モジュール１２内の売上情報を売上情報管理センター６に送信する。尚、売上情報処理部８が売上情報締信号を出力するタイミングは、自動販売機管理センター４が売上情報処理部８にタイミング指定信号を送信することによって決定する。即ち、売上情報処理部８は、一定期間（１０日間、１ヶ月等）または締要求の都度、売上情報締信号を複数の自動販売機２に送信する。更に、売上情報処理部８は、複数の自動販売機２の制御部ＲＡＭ１４が記憶している売上情報を受信して保持するための保持部２２を有する。売上情報処理部８、複数の自動販売機２が商品を販売する都度、制御部ＲＡＭ１４内の売上情報を保持部２２に保持する。または、売上情報処理部８は、売上情報締信号を出力する都度、制御部ＲＡＭ１４内の売上情報を保持部２２に一括して保持することも可能である。
【００１９】
以上より、売上情報処理部８が売上情報締信号を自動販売機２に送信する都度、売上情報管理センター６は、自動販売機管理センター４に対して、売上情報記憶モジュール１２内の売上情報に相当する決済処理を実行し、一方で、売上情報処理部８は、保持部２２内の売上情報を自動販売機管理センター４に送信する。従って、自動販売機管理センター４は、売上情報記憶モジュール１２内の売上情報を確認できないが、制御部ＲＡＭ１４内の売上情報を参照することによって、売上情報管理センター６が実行する決済処理の信憑性を確実且つ容易に判断することが可能となる。
【００２０】
＝＝＝自動販売機の前面構成＝＝＝
図２を参照しつつ、本発明にかかる自動販売機の前面構成の一例を説明する。図２は、本発明にかかる自動販売機の正面図の一例である。なお、本実施形態では、自動販売機は、カップ飲料を販売することとする。
【００２１】
前扉１０２は、自動販売機の右側面端を支軸として開閉するものであり、カップ飲料を調理するときに必要となる、希釈水、炭酸水、濃縮液体原料等を混合したり、砂糖、クリーム、氷等を添加したりするためのデータ設定や、販売機構のメンテナンスを行うときは解錠して開き、通常販売を行うときは施錠して閉じておくものである。パネル１０４は、透明な樹脂板であり、内部に陳列されている複数種類のカップ飲料サンプル１０６を確認するためのものである。つまり、利用者は、パネル１０４を通して複数種類のカップ飲料サンプル１０６を見渡すことにより、購入を希望するカップ飲料を選択できる。尚、複数種類のカップ飲料の写真または絵柄をパネル１０４に印刷してもよい。
【００２２】
売上情報記憶モジュール１２は、全登録利用者の利用者識別情報を記憶する利用者登録テーブル（不図示）を有し、非接触型ＩＣカード１０８内の利用者識別情報、金銭情報等を読み取った後、利用者識別情報が利用者登録テーブルに存在するかどうかを逐次比較して正当性を判別する。売上情報記憶モジュール１２は、利用者識別情報が正当であるものと判別すると、金銭情報が認識可能な価値情報であるかどうかを更に判別する。そして、売上情報記憶モジュール１２は、金銭情報が正当であるものと判別すると、金銭情報を自動販売機２内の主制御部（不図示）に送信可能とする。尚、硬貨、紙幣等の価値を識別して商品を販売するための貨幣処理部（不図示）を付設してもよい。
【００２３】
表示部１１０は、正当と判別される非接触型ＩＣカード１０８内の金銭情報を表示するものである。値段ラベル１１２は、カップ飲料サンプル１０６の下部に１対１に対応して配設されるものである。商品選択釦１１４は、販売可ランプおよび売切ランプを内蔵し、カップ飲料サンプル１０６の下部に１対１に対応して配設されるものである。上記の販売可ランプは、表示部１１０に表示される金銭情報が１杯のカップ飲料の金額以上であるとき、自動販売機２内部の希釈水タンク、炭酸水タンク、濃縮液体原料タンクが中味を有する場合のみ、このカップ飲料に対応するものが点灯する。上記の売切ランプは、希釈水タンクが空になると、希釈水を使用するカップ飲料に対応するものが常時点灯し、炭酸水タンクが空になると、炭酸水を使用するカップ飲料に対応するものが常時点灯し、何れかの濃縮液体原料タンクが空になると、この濃縮液体原料を使用するカップ飲料に対応するものが常時点灯する。
【００２４】
増量釦１１２、１１４、１１６は、１杯のコーヒー飲料を調理する際にコーヒー原料、砂糖、クリームの増量を希望するとき、商品選択釦１１４を押下する前に押下するものである。同様に、減量釦１１８、１２０、１２２は、１杯のコーヒー飲料を調理する際にコーヒー原料、砂糖、クリームの減量を希望するとき、商品選択釦１１４を押下する前に押下するものである。表示部１２４は、コーヒー原料、砂糖、クリームの増減の度合を表示するものである。氷なし釦１２６は、１杯のＣＯＬＤ飲料を調理する際に氷の添加を希望しないとき、商品選択釦１１４を押下する前に押下するものである。増量釦１１２、１１４、１１６、減量釦１１８、１２０、１２２、氷なし釦１２６を必要に応じて押下し、その後、販売可ランプが点灯している商品選択釦１１４を押下すると、このカップ飲料サンプル１０６に対応するカップ飲料が調理され、商品取出口１２８から取り出し可能となる。
【００２５】
販売中ランプ１３０は、カップ飲料が正常販売されるときに点灯するものである。販売中止ランプ１３２は、全カップ飲料が売り切れとなったとき、或いは、カップ飲料を調理するための販売機構部が故障したとき、点灯するものである。尚、販売中ランプ１３０、販売中止ランプ１３２は、表示部１１０の基板上に配設される。
【００２６】
＝＝＝自動販売機の制御構成＝＝＝
図３を参照しつつ、本発明にかかる自動販売機の制御構成の一例について説明する。図３は、本発明にかかる自動販売機の制御構成を説明するためのブロック図である。
【００２７】
主制御部２０２は、自動販売機２の各種制御を統括するものであり、ＲＯＭ２０４、ＣＰＵ２０６、制御部ＲＡＭ１４としてのＲＡＭ２０８、周辺回路２１０（タイマ、カウンタ等）を有する。例えば、主制御部２０２は、マイクロコンピュータを中心としてプログラム動作するものである。詳述すると、ＲＯＭ２０４は、後述する複数の従制御部を統括制御するためのプログラムデータ、参照テーブルデータ等が予め記憶されている。尚、ＲＯＭ２０４は、データを製造工程で焼き付け固定するマスクＲＯＭ、データを紫外線消去することによりデータを繰り返し書き込み読み出しできるＥＰＲＯＭ、データを電気消去することによりデータを繰り返し書き込み読み出しできるＥＥＰＲＯＭ（フラッシュＲＯＭを含む）等の不揮発性記憶素子で構成される。ＣＰＵ２０６は、ＲＯＭ２０４から読み出されたプログラムデータの解読結果に従って複数の従制御部を統括制御するものである。尚、ＣＰＵ２０６は、ＲＯＭ２０４のアドレスを指定するアドレスカウンタ、ＲＯＭ２０４から読み出されたプログラムデータを解読するプログラマブルロジックアレイ、論理演算を行う演算論理ユニット、演算データを一時格納するレジスタ等（何れも不図示）を有する。ＲＡＭ２０８は、ＣＰＵ２０６で論理演算される作業データ、複数の従制御部から送信されて来る各種データ等の書き込みと読み出しを行うものである。特に、ＲＡＭ２０８は、自動販売機２がカップ飲料を販売する都度、当該カップ飲料の商品名、販売時刻、販売金額を関連付けた売上情報を記憶するためのデータエリアを有する。尚、ＲＡＭ２０８は、ＳＲＡＭ等の揮発性記憶素子で構成され、ＲＡＭ２０８内のデータは、バックアップ電源にて保持される。
【００２８】
カード読取制御部２１２、接客制御部２１４、販売制御部２１６、入出力制御部２１８は、上記の複数の従制御部に相当し、主制御部２０２と同様のＲＯＭ、ＣＰＵ、ＲＡＭ、周辺回路等を有する。
【００２９】
売上情報記憶モジュール１２は、非接触型ＩＣカード１０８内の利用者識別情報、金銭情報等が正当であるものと判別したとき、当該金銭情報をカード読取制御部２１２に送信する。カード読取制御部２１２は、当該金銭情報を主制御部２０２に送信する。主制御部２０２は、当該金銭情報が１杯のカップ飲料の金額以上であるものと判別したとき、商品選択釦１１４を点灯させるための信号を接客制御部２１４に送信する。これにより、商品選択釦１１４が点灯した状態となる。
【００３０】
接客面２２０は、表示部１１０、商品選択釦１１４、増量釦１１２、１１４、１１６、減量釦１１８、１２０、１２２、表示部１２４、氷なし釦１２６、販売中ランプ１３０、販売中止ランプ１３２等からなるものである。接客制御部２１４は、接客面２２０を制御する。即ち、接客制御部２１４は、主制御部２０２からのカップ飲料販売に関する接客信号を受信することによって、販売中ランプ１３０、販売中止ランプ１３２、販売飲料別の販売可ランプ、売切ランプの点灯消灯を制御したり、更には、複数の商品選択釦１１４の何れかが押下されたときの押下信号を主制御部２０２に送信したりする。
【００３１】
販売制御部２１６は、販売機構部２２２を制御し、接客制御部２１４からの押下信号に応答する主制御部２０２からの販売信号を受信することによって、カップ飲料を調理して商品取出口１２８にて取出可能とするものである。
【００３２】
キー入力部２２４は、数字、記号、アルファベット等のキーおよびファンクションキーと、これらのキーの操作に関する内容を表示する表示部（有機ＥＬ、ＬＣＤ等）とを、前面に備えたものである。キー入力部２２４は、入出力制御部２１８と有線で接続される。入出力制御部２１８は、キー入力部２２４の操作入力データを主制御部２０２に送信する。これにより、カップ飲料を調理するための各種データ設定を行うことができる。
【００３３】
印刷装置２２６は、売上情報を印刷するための印刷釦２２８を有し、主制御部２０２のＲＡＭ２０８に記憶されている売上情報を印刷媒体に印刷するものである。作業員等が印刷釦２２８を押下すると、印刷装置２２６は印刷釦２２８の押下信号を主制御部２０２に送信する。主制御部２０２は、当該押下信号に応答して、ＲＡＭ２０８内の売上情報を印刷装置２２６に送信する。これにより、印刷装置２２６は、ＲＡＭ２０８内の売上情報を印刷することができる。尚、印刷装置２２６の使用頻度は、作業員が任意に使用する程度で済む。
【００３４】
通信部２３０は、自動販売機２の主制御部２０２と自動販売機管理センター４および売上情報処理部８との間の通信のインターフェースを行うものである。また、通信部２３２は、自動販売機２の売上情報記憶モジュール１２と売上情報管理センター６との間の通信のインターフェースを行うものである。
【００３５】
尚、主制御部２０２と従制御部２１２、２１４、２１６、２１８との間の通信は、主制御部２０２が優先的な送信権を有するポーリング方式、或いは、主制御部２０２および従制御部２１２、２１４、２１６、２１８が対等な送信権を有するコンテンション方式の何れであってもよい。
【００３６】
＝＝＝自動販売機の売上情報記憶動作＝＝＝
図４を参照しつつ、本発明にかかる自動販売機の売上情報記憶動作の一例について説明する。図４は、本発明にかかる自動販売機の売上情報記憶動作を説明するためのフローチャートである。尚、図４のフローチャートは、主制御部２０２が主体となって実行するものである。
【００３７】
先ず、利用者が自動販売機２の売上情報記憶モジュール１２の前面で非接触型ＩＣカード１０８を一度翳すと、売上情報記憶モジュール１２は、非接触型ＩＣカード１０８内の利用者識別情報、金銭情報を読み取り双方の正当性を判別する。この際、非接触型ＩＣカード１０８内の金銭情報は、売上情報記憶モジュール１２に一旦移動する。売上情報記憶モジュール１２は、利用者識別情報、金銭情報を正当と判別すると、利用者識別情報、金銭情報を保持する一方、金銭情報をカード読取制御部２１２に送信する。カード読取制御部２１２は、金銭情報を主制御部２０２に送信する。これにより、主制御部２０２は、金銭情報を受信することとなる（Ｓ２：ＹＥＳ）。
【００３８】
主制御部２０２は、金銭情報が１杯のカップ飲料の金額以上であるかどうかを判別する（Ｓ４）。主制御部２０２は、金銭情報が１杯のカップ飲料の金額以上であるものと判別すると（Ｓ４：ＹＥＳ）、商品選択釦１１４の販売可ランプを点灯するための信号を接客制御部２１４に送信する。接客制御部２１４は商品選択釦１１４の販売可ランプを制御し、商品選択釦１１４の販売可ランプは点灯する（Ｓ６）。
【００３９】
利用者が何れか１つの商品選択釦１１４を押下すると、接客制御部２１４は、該当する商品選択釦１１４の押下信号を主制御部２０２に送信する。これにより、主制御部２０２は、商品選択釦１１４の押下信号を受信することとなる（Ｓ８：ＹＥＳ）。
【００４０】
主制御部２０２は、商品選択釦１１４の押下信号を解読して、カップ飲料を販売するための信号を販売制御部２１６に送信する。販売制御部２１６は販売機構部２２２を制御し、販売機構部２２２は、利用者が要求するカップ飲料を調理して商品取出口１２８にて取出可能とする（Ｓ１０）。
【００４１】
販売制御部２１６は、販売機構部２２２がカップ飲料を販売したとき、販売終了信号を主制御部２０２に送信する。これにより、主制御部２０２は、販売終了信号を受信することとなる（Ｓ１２：ＹＥＳ）。
【００４２】
ＲＯＭ２０４は、個々の商品選択釦１１４、商品名、販売金額を関連付けたテーブルデータを記憶している。また、周辺回路２１０のタイマは、現在時刻を計時している。そこで、主制御部２０２は、ＲＯＭ２０４のテーブルデータを参照して該当する商品選択釦１１４と対応する商品名および販売金額を求め、商品名、販売時刻、販売金額を関連付けた売上情報をＲＡＭ２０８に記憶する（Ｓ１４）。
【００４３】
主制御部２０２は、ＲＡＭ２０８が記憶するステップＳ１４の売上情報のうち、販売金額の情報をカード読取制御部２１２に送信する。カード読取制御部２１２は、販売金額の情報を売上情報記憶モジュール１２に送信する。売上情報記憶モジュール１２は、保持している利用者識別情報、販売時刻、販売金額を関連付けた売上情報、即ち、ＲＡＭ２０８と異なる記憶形態の売上情報を内部記憶素子に記憶する。更に、売上情報記憶モジュール１２は、保持している金銭情報から販売金額を減算する。そして、利用者が売上情報記憶モジュール１２の前面で非接触型ＩＣカード１０８を再度翳すと、売上情報記憶モジュール１２は、減算後の金銭情報を非接触型ＩＣカード１０８に送信する（Ｓ１６）。
【００４４】
一方、主制御部２０２は、金銭情報が１杯のカップ飲料の金額未満であるものと判別すると（Ｓ４：ＮＯ）、販売停止信号を接客制御部２１４に送信する。接客制御部２１４は表示部１１０を制御し、表示部１１０は金銭情報が１杯のカップ飲料の金額未満であることを表示して告知する。同様に、主制御部２０２は、販売停止信号をカード読取制御部２１２に送信する。カード読取制御部２１２は、販売停止信号を売上情報記憶モジュール１２に送信する。そして、利用者が売上情報記憶モジュール１２の前面で非接触型ＩＣカード１０８を再度翳すと、売上情報記憶モジュール１２は、保持している金銭情報を非接触型ＩＣカード１０８に送信する（Ｓ１８）。
【００４５】
以上より、主制御部２０２内のＲＡＭ２０８と売上情報記憶モジュール１２は、販売商品の売上情報を異なる記憶形態で記憶することとなる。主制御部２０２は、自動販売機２が商品を販売する都度、ＲＡＭ２０８の売上情報を通信部２３０を介して売上情報処理部８の保持部２２に送信する。即ち、保持部２２は、自動販売機２が商品を販売する都度、ＲＡＭ２０８の売上情報を逐次保持することとなる。この自動販売機２が屋内、屋外等の各種ロケーションに設置されることとなる。尚、本実施形態では、非接触型ＩＣカード１０８を商品販売時に２度翳す必要があるが、これに限定されるものではない。
【００４６】
＝＝＝自動販売機の売上情報処理動作＝＝＝
図５を参照しつつ、本発明の自動販売機の決済処理システムに用いる売上情報処理装置の動作について説明する。図５は、本発明の自動販売機の決済処理システムに用いる売上情報処理装置の動作を説明するための図である。
【００４７】
自動販売機２は、商品を販売する都度、主制御部２０２のＲＡＭ２０８が記憶する売上情報を、自動販売機２自体の識別情報等とともに売上情報処理部８に送信する。これにより、売上情報処理部８の保持部２２は、売上情報処理部８が前回の売上情報締信号を出力してから次回の売上情報締信号を出力するまでの間、ＲＡＭ２０８の売上情報を累積して保持する。
【００４８】
売上情報処理部８は、自動販売機管理センター４が出力する締要求の都度または一定期間間隔で、売上情報締信号を自動販売機２に送信する。自動販売機２の主制御部２０２が売上情報締信号を通信部２３０を介して受信すると、売上情報記憶モジュール１２は、内部記憶素子が記憶している売上情報を通信部２３２を介して売上情報管理センター６に送信する。
【００４９】
売上情報管理センター６は、売上情報処理部８が売上情報締信号を出力する都度、売上情報記憶モジュール１２の売上情報を集計し、自動販売機管理センター４に対して、当該売上情報の決済処理を実行する。一方、売上情報処理部８は、売上情報締信号を出力する都度、保持部２２が保持している売上情報を自動販売機管理センター４に送信する。
【００５０】
以上より、自動販売機２の売上情報を決済処理する際、自動販売機管理センター４の作業員等が自動販売機２を操作する手間を省略できる。従って、売上情報管理センター６が実行する売上情報の決済処理の信憑性を、確実且つ容易に判断することが可能となる。尚、自動販売機管理センター４が複数の自動販売機２を管理する程、効果は顕著となる。
【００５１】
＝＝＝その他の実施形態＝＝＝
以上、本発明の自動販売機の決済処理システムに用いる売上情報処理装置、売上情報処理方法について説明したが、上記した発明の実施の形態は、本発明の理解を容易とするためのものであり、本発明を限定するものではない。本発明は、その趣旨を逸脱することなく、変更、改良され得るとともに、本発明にはその等価物が含まれることは勿論である。
【００５２】
≪売上情報処理部≫
本実施形態では、売上情報処理部８は複数の自動販売機２と独立したものであるが、複数の自動販売機２のうち、少なくとも１つの自動販売機２が売上情報処理部８の機能を備えてもよい。この場合、自動販売機管理センター４と売上情報管理センター６との間の決済処理の信憑性を判断するためのシステムを容易に構築できる。また、売上情報処理部８は、自動販売機管理センター４に設置されるコンピュータ端末、作業員の携帯端末等であってもよい。
【００５３】
≪保持部≫
本実施形態では、保持部２２は、自動販売機２が商品を販売する都度、ＲＡＭ２０８の売上情報を逐次保持するが、売上情報処理部８が売上情報締信号を出力する都度、ＲＡＭ２０８の売上情報を一括保持してもよい。この場合、自動販売機２と売上情報処理部８との間の通信処理が煩雑となるのを防止できる。また、ＲＡＭ２０８の売上情報を自動販売機２に直接送信してもよい。この場合、保持部２２を省略できる。
【００５４】
【発明の効果】
本発明によれば、売上情報管理センターと自動販売機管理センターとの間の決済処理の信憑性を確実且つ容易に判断することが可能となる。
【図面の簡単な説明】
【図１】本発明の自動販売機の決済処理システムに用いる売上情報処理装置を説明するためのブロック図である。
【図２】本発明にかかる自動販売機の正面図の一例である。
【図３】本発明にかかる自動販売機の制御構成を説明するためのブロック図である。
【図４】本発明にかかる自動販売機の売上情報記憶動作を説明するためのフローチャートである。
【図５】本発明の自動販売機の決済処理システムに用いる売上情報処理装置の動作を説明するための図である。
【符号の説明】
２  自動販売機
４  自動販売機管理センター
６  売上情報管理センター
８  売上情報処理部
１０  通信回線
１２  売上情報記憶モジュール
１４  制御部ＲＡＭ
１６  アンテナ
１８  タイマ
２２  保持部
【図１】
2004280554.tif 000003
【図２】
2004280554.tif 000004
【図３】
2004280554.tif 000005
【図４】
2004280554.tif 000006
【図５】
2004280554.tif 000007